(57)【要約】【課題】より簡略な構造で操作部の蓋体の回動に係る操作を禁止する。【解決手段】家庭用薄葉紙Ｐの取出口１１を具備する容器本体１に取出口を開閉するように回動自在に取り付けられた上蓋３と、取出口を開状態とするために上蓋の前端面部３３を跳ね上げる動作を行う上摘み部４２及び下摘み部４１を有する操作部４とを備える家庭用薄葉紙収納容器１００であって、上摘み部は、回動軸部４２２が取付穴部１５２に沿ってスライドするように押し込まれることで接触部が被係合部１４に係合してロック位置に配置される一方で、回動軸部が取付穴部に沿ってスライドするように引き出されることで接触部がアンロック位置に配置されるようになっている。【選択図】図４
2008105746.tif 000002
【特許請求の範囲】
【請求項１】
内側に家庭用薄葉紙を収納するとともに、前記家庭用薄葉紙の取出口を具備する容器本体と、前記容器本体に前記取出口を開閉するように回動自在に取り付けられた蓋体と、前記取出口を開状態とするために前記蓋体の一端部を跳ね上げる動作を行う操作部とを備える家庭用薄葉紙収納容器であって、
前記操作部は、
前記容器本体に対して回動自在に取り付けられ、前記容器本体に対する回動の中心軸を構成する回動軸部と、前記蓋体の一端部に接触する接触部とを有し、前記回動軸部を中心として回動する際に前記接触部が前記一端部に接触可能な接触位置と接触不可能な接触不可位置とに配置されるように移動自在に構成されていることを特徴とする家庭用薄葉紙収納容器。
【請求項２】
前記容器本体は、前記回動軸部が取り付けられる長円形状の取付穴部と、前記接触部が係合して前記操作部の前記回動軸部を中心とする回動を規制する被係合部とを備え、
前記操作部は、前記回動軸部が前記取付穴部に沿って移動するように押し込まれることで前記接触部が前記被係合部に係合して前記接触不可位置に配置される一方で、前記回動軸部が前記取付穴部に沿って移動するように引き出されることで前記接触部が前記接触位置に配置されるようになっていることを特徴とする請求項１に記載の家庭用薄葉紙収納容器。
【請求項３】
前記容器本体は、前記回動軸部が取り付けられる長円形状の取付穴部を備え、
前記操作部は、前記回動軸部が前記取付穴部に沿って移動するように引き出されることで前記接触部が前記接触不可位置に配置される一方で、前記回動軸部が前記取付穴部に沿って移動するように押し込まれることで前記接触部が前記接触位置に配置されるようになっていることを特徴とする請求項１に記載の家庭用薄葉紙収納容器。
【請求項４】
前記容器本体は、前記家庭用薄葉紙が収納される収納部と、前記収納部の外側に設けられ、起立面を具備する壁部を備え、
前記取付穴部は、前記起立面から座刳られるように形成され、当該取付穴部の内面から突出されて前記回動軸部の位置を規制する位置規制凸部を備え、
前記壁部には、前記位置規制凸部を挟むように前記取付穴部に対向させて当該壁部を貫通する貫通穴が設けられていることを特徴とする請求項２又は３に記載の家庭用薄葉紙収納容器。
【請求項５】
前記回動軸部は、前記容器本体の取付穴部に取付けられ、
前記接触位置及び前記接触不可位置のうち、少なくとも前記接触不可位置に配置される前記操作部を位置決めする位置規制部が前記取付穴部と異なる位置に設けられていることを特徴とする請求項２又は３に記載の家庭用薄葉紙収納容器。
【請求項６】
前記操作部及び前記容器本体のうち、何れか一方に設けられた凸部と、
前記操作部及び前記容器本体のうち、前記凸部が設けられた一方と異なる他方に設けられ、前記凸部が係合する凹部と、を備え、
前記位置規制部は、前記凹部の内面から突出して形成され、前記凸部の側面に接触して前記凸部と前記凹部の相対的な移動を規制する位置規制凸部を備えることを特徴とする請求項５に記載の家庭用薄葉紙収納容器。
【請求項７】
前記回動軸部は、当該回動軸部の回動を規制する回動規制部を具備することを特徴とする請求項５又は６に記載の家庭用薄葉紙収納容器。
【請求項８】
前記回動規制部は、前記回動軸部の円形の外周部の一部を変形して形成され、
前記取付穴部は、前記操作部が前記接触不可位置に配置された状態で、前記回動規制部が嵌合する被嵌合部を具備することを特徴とする請求項７に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来より、家屋の床やトイレ、或いは人体などを拭くための家庭用薄葉紙を収納する家庭用薄葉紙収納容器が知られている。
この家庭用薄葉紙収納容器として、家庭用薄葉紙の取出口を有する容器本体と、この容器本体に回動自在に設けられて取出口を開放及び閉塞する蓋体と、この蓋体を回動させて取出口を開放させる操作を行う操作ボタン等から構成されたものが知られている（例えば、特許文献１参照）。
【０００３】
また、上記の家庭用薄葉紙収納容器の場合、操作ボタンの誤操作により蓋体が回動して取出口が開放状態となってしまう虞があるため、操作ボタンの蓋体を回動させる操作を不可能とするロック部材が設けられている。
【特許文献１】特開２００４−２６２４６１号公報
【発明の開示】
【発明が解決しようとする課題】
【０００４】
しかしながら、上記特許文献１等の場合、ロック部材が操作ボタンと別部材で設けられていることから、当該ロック部材や操作ボタンの構造が複雑化してしまい、コスト増を招いてしまうといった問題がある。
【０００５】
また、操作ボタンが容器本体に対して前後方向に移動（スライド）自在とされて、操作ボタンをその操作をロックするロック位置とアンロックするアンロック位置に配置可能に構成された家庭用薄葉紙収納容器も開発されているが、上記構成の場合、操作ボタンの回転軸部の周囲にスペースが必要となり、容器本体や蓋体との間に隙間が生じてがたついてしまうといった問題がある。
さらに、回転軸部は、左右２箇所に設けられているため、スライドとロックの両方の機能を具備すると、左右の回転軸部の一方がロック側に配され、他方がアンロック側に配されてしまう状態が発生してしまい、ロックを適正に行うことができない虞がある。
【０００６】
そこで、本発明の課題は、より簡略な構造で操作部の蓋体の回動に係る操作を禁止することができる家庭用薄葉紙収納容器を提供することである。
【課題を解決するための手段】
【０００７】
請求項１に記載の発明は、
内側に家庭用薄葉紙を収納するとともに、前記家庭用薄葉紙の取出口を具備する容器本体と、前記容器本体に前記取出口を開閉するように回動自在に取り付けられた蓋体と、前記取出口を開状態とするために前記蓋体の一端部を跳ね上げる動作を行う操作部とを備える家庭用薄葉紙収納容器であって、
前記操作部は、
前記容器本体に対して回動自在に取り付けられ、前記容器本体に対する回動の中心軸を構成する回動軸部と、前記蓋体の一端部に接触する接触部とを有し、前記回動軸部を中心として回動する際に前記接触部が前記一端部に接触可能な接触位置と接触不可能な接触不可位置とに配置されるように移動自在に構成されていることを特徴としている。
【０００８】
請求項２に記載の発明は、請求項１に記載の家庭用薄葉紙収納容器において、
前記容器本体は、前記回動軸部が取り付けられる長円形状の取付穴部と、前記接触部が係合して前記操作部の前記回動軸部を中心とする回動を規制する被係合部とを備え、
前記操作部は、前記回動軸部が前記取付穴部に沿って移動するように押し込まれることで前記接触部が前記被係合部に係合して前記接触不可位置に配置される一方で、前記回動軸部が前記取付穴部に沿って移動するように引き出されることで前記接触部が前記接触位置に配置されるようになっていることを特徴としている。
【０００９】
請求項３に記載の発明は、請求項１に記載の家庭用薄葉紙収納容器において、  前記容器本体は、前記回動軸部が取り付けられる長円形状の取付穴部を備え、
前記操作部は、前記回動軸部が前記取付穴部に沿って移動するように引き出されることで前記接触部が前記接触不可位置に配置される一方で、前記回動軸部が前記取付穴部に沿って移動するように押し込まれることで前記接触部が前記接触位置に配置されるようになっていることを特徴としている。
【００１０】
請求項４に記載の発明は、請求項２又は３に記載の家庭用薄葉紙収納容器において、
前記容器本体は、前記家庭用薄葉紙が収納される収納部と、前記収納部の外側に設けられ、起立面を具備する壁部を備え、
前記取付穴部は、前記起立面から座刳られるように形成され、当該取付穴部の内面から突出されて前記回動軸部の位置を規制する位置規制凸部を備え、
前記壁部には、前記位置規制凸部を挟むように前記取付穴部に対向させて当該壁部を貫通する貫通穴が設けられていることを特徴としている。
【００１１】
請求項５に記載の発明は、請求項２又は３に記載の家庭用薄葉紙収納容器において、
前記回動軸部は、前記容器本体の取付穴部に取付けられ、
前記接触位置及び前記接触不可位置のうち、少なくとも前記接触不可位置に配置される前記操作部を位置決めする位置規制部が前記取付穴部と異なる位置に設けられていることを特徴としている。
【００１２】
請求項６に記載の発明は、請求項５に記載の家庭用薄葉紙収納容器において、
前記操作部及び前記容器本体のうち、何れか一方に設けられた凸部と、
前記操作部及び前記容器本体のうち、前記凸部が設けられた一方と異なる他方に設けられ、前記凸部が係合する凹部と、を備え、
前記位置規制部は、前記凹部の内面から突出して形成され、前記凸部の側面に接触して前記凸部と前記凹部の相対的な移動を規制する位置規制凸部を備えることを特徴としている。
【００１３】
請求項７に記載の発明は、請求項５又は６に記載の家庭用薄葉紙収納容器において、
前記回動軸部は、当該回動軸部の回動を規制する回動規制部を具備することを特徴としている。
【００１４】
請求項８に記載の発明は、請求項７に記載の家庭用薄葉紙収納容器において、
前記回動規制部は、前記回動軸部の円形の外周部の一部を変形して形成され、
前記取付穴部は、前記操作部が前記接触不可位置に配置された状態で、前記回動規制部が嵌合する被嵌合部を具備することを特徴としている。
【発明の効果】
【００１５】
請求項１に記載の発明によれば、取出口を開状態とするために蓋体の一端部を接触部により跳ね上げる操作部が、蓋体の一端部に接触部を接触不可能な接触不可位置に配置されることで操作部の蓋体の回動に係る操作を禁止することができる。即ち、蓋体の一端部と接触部との接触を禁止する部材を別に設けることなく、操作部を接触部が蓋体の一端部に接触可能な接触位置と接触不可能な接触不可位置との間で移動させるだけで、操作部の蓋体の回動に係る操作を禁止したり当該禁止を解除することができる。従って、より簡略な構造で操作部の蓋体の回動に係る操作を禁止することができる。
【００１６】
請求項２に記載の発明によれば、請求項１に記載の発明と同様の効果が得られるのは無論のこと、特に、操作部を、回動軸部が取付穴部に沿って移動するように押し込むだけで接触部を接触不可位置に配置することができる一方で、回動軸部が取付穴部に沿って移動するように引き出すだけで接触部を接触位置に配置することができる。即ち、操作部を押し込んだり引き出すことで、接触部を接触位置や接触不可位置に配置することができ、さらに、接触不可位置にあっては接触部を被係合部に係合させて操作部の回動を禁止することができるので、操作部の蓋体の回動に係る操作を適正に禁止することができる。
【００１７】
請求項３に記載の発明によれば、請求項１に記載の発明と同様の効果が得られるのは無論のこと、特に、操作部を、回動軸部が取付穴部に沿って移動するように引き出すだけで接触部を接触不可位置に配置することができる一方で、回動軸部が取付穴部に沿って移動するように押し込むだけで接触部を接触位置に配置することができる。即ち、操作部を押し込んだり引き出すことで、接触部を接触位置や接触不可位置に配置することができ、操作部の蓋体の回動に係る操作を適正に禁止することができる。
【００１８】
請求項４に記載の発明によれば、請求項２又は３に記載の発明と同様の効果が得られるのは無論のこと、特に、位置規制凸部を挟むように取付穴部に対向する位置に設けられ貫通穴によって、取付穴部内を回動軸部が移動する際に位置規制凸部が貫通穴側に押し込まれて取付穴部が弾性変形することとなり、これにより操作部の移動をスムーズに行うことができる。
また、収納部の外側に設けられた壁部に貫通穴が設けられているので、収納部に家庭用薄葉紙を密封状態で収納することができることとなって、当該家庭用薄葉紙の乾燥を防止できる。
【００１９】
請求項５に記載の発明によれば、請求項２又は３に記載の発明と同様の効果が得られるのは無論のこと、特に、接触部が蓋体の一端部に接触可能な接触位置と接触不可能な接触不可位置のうち、少なくとも接触不可位置に配置される操作部を位置決めする位置規制部が取付穴部と異なる位置に設けられているので、位置規制部を取付穴部と同じ位置に設ける構成に比べて容器本体や蓋体との間に隙間を生じ難くして、がたつきを防止することができる。
従って、回動軸部を取付穴部に沿わせるように移動させることにより操作部の移動を適正に行うことができるとともに、位置規制部により操作部の位置決めを適正に行うことができる。
【００２０】
請求項６に記載の発明によれば、操作部及び容器本体に設けられた凸部と凹部の相対的な移動を位置規制凸部により規制することができ、請求項５に記載の発明と同様の効果が得ることができる。
【００２１】
請求項７に記載の発明によれば、請求項５又は６に記載の発明と同様の効果が得られるのは無論のこと、特に、回動軸部は、回動規制部により当該回動軸部の回動を規制することができ、回動軸部が不必要に回動しなくなって、がたつきを防止することができる。
【００２２】
請求項８に記載の発明によれば、請求項７に記載の発明と同様の効果が得られるのは無論のこと、特に、操作部が接触不可位置に配置された状態にて、被嵌合部に回動軸部の回動規制部を嵌合させて当該操作部の回動を規制することができ、この結果、がたつきを適正に防止することができる。
【発明を実施するための最良の形態】
【００２３】
以下に、本発明について、図面を用いて具体的な態様を説明する。ただし、発明の範囲は、図示例に限定されない。
【００２４】
［実施形態１］
図１は、本発明を適用した好適な実施形態１として例示する家庭用薄葉紙収納容器１００を示す平面図であり、図２は、家庭用薄葉紙収納容器１００を示す正面図であり、図３は、家庭用薄葉紙収納容器１００を示す底面図である。また、図４は、図１のIV−IV線における家庭用薄葉紙収納容器１００の断面図であり、図５は、図４のうち、領域Ａの要部拡大断面図である。
なお、図３にあっては、後述する底蓋２の図示は省略するとともに、後述する上蓋３、操作部４、並びに容器本体１のうちの収納部５の外側に設けられている各部を破線で示すものとする。
また、以下の説明では、家庭用薄葉紙収納容器１００の前後方向をＸ軸方向として、操作部４が設けられている側を手前側とし、操作部４と反対側を後側とする。さらに、左右方向（幅方向）をＹ軸方向とし、上下方向をＺ軸方向とする。
【００２５】
本実施形態の家庭用薄葉紙収納容器１００は、例えば、図１〜図４に示すように、平面視にて略楕円形をなし全体として半球状に形成され、具体的には、内側にウェットシートやウェットティッシュ等の家庭用薄葉紙Ｐを収納する容器本体１と、この容器本体１の底面開口を塞ぐ底蓋２と、容器本体１の上部に設けられた家庭用薄葉紙Ｐの取出口１１を開閉するように当該容器本体１に回動自在に取り付けられた上蓋３と、取出口１１を開状態とするために操作される操作部４等を備えて構成されている。
【００２６】
容器本体１は、例えば、図４に示すように、底面開口を構成する下端部に底蓋２が取り付けられることで家庭用薄葉紙Ｐを収納する収納部５を構成するようになっている。
また、容器本体１の上面部１２の略中央には、例えば、収納部５に収納された家庭用薄葉紙Ｐを取り出すための取出口１１が形成されている。この取出口１１は、例えば、不使用状態にて、収納部５の密閉性を確保するために閉塞部材（図示略）により閉塞されるようになっている（図４参照）。
【００２７】
上面部１２の取出口１１よりも後側には、例えば、上蓋３をＹ軸方向の回動軸（後述）に沿って回動自在に取り付けるための回動取付部１６が設けられている。
回動取付部１６は、例えば、上蓋３を開く方向に付勢するねじりコイルバネ等の付勢部材１６１を備え、これにより、回動規制部（後述）による上蓋３の回動の規制が解除された状態では、上蓋３が回動して取出口１１を露出させるようになっている（図６参照）。
なお、付勢部材１６１としては、ねじりコイルバネに限られるものではなく、上蓋３を開く方向に付勢可能なものであれば如何なるものであっても良く、例えば、板バネ等を適用することができる。
【００２８】
ここで、上蓋３について説明する。
上蓋３は、例えば、平面視略楕円形をなし、取出口１１を閉塞するように容器本体１に取り付けられた状態で容器本体１の外面部とともに半球状をなすように形成されている。具体的には、上蓋３は、例えば、容器本体１の回動取付部１６に取り付けられる回動軸を有する軸部分３１と、この軸部分３１から前方及び側方に延出され、容器本体１の外面部の曲率に合わせて所定の曲率を有する湾曲部３２と、この湾曲部３２の前端部から略真下に延出された前端面部３３等を備えている。
【００２９】
前端面部３３の下端部には、例えば、Ｘ軸方向後側に向けて所定の長さ突出された上蓋側凸部３３１が形成されている。
一方、上面部１２の取出口１１よりも前側であって、前端面部３３に対向する対向面部１３には、Ｘ軸方向前側に向けて所定の長さ突出された本体側凸部１３１が形成されている。
そして、上蓋３を取出口１１を閉塞するようにＸ軸方向前側に回動させると、当該上蓋３の上蓋側凸部３３１が対向面部１３の本体側凸部１３１に係止した状態となって、上蓋３の取出口１１を開放するようなＸ軸方向後側に対する回動が規制される（図５参照）。
ここで、上蓋側凸部３３１と本体側凸部１３１によって、上蓋３の回動を規制する回動規制部が構成されている。
【００３０】
また、対向面部１３の下側には、例えば、上摘み部４２の接触部４２３が係合する被係合部１４が形成されている。
被係合部１４は、例えば、対向面部１３の表面からＸ軸方向の後側に所定の深さ座刳られ、且つ、Ｙ軸方向に沿って延在するように溝状に形成されている。そして、被係合部１４に接触部４２３が係合することにより、当該上摘み部４２の回動軸部４２２（後述）を中心とする回動を規制するようになっている（詳細後述）。
【００３１】
また、容器本体１の上面部１２の取出口１１よりも前側には、例えば、操作部４を取り付けるための操作部取付部１５が設けられている。
【００３２】
ここで、操作部４について詳細に説明する。
操作部４は、例えば、操作部取付部１５の所定位置に取付固定された下摘み部４１と、この下摘み部４１の上側に設けられた樹脂製の上摘み部４２等を備えて構成されている。
【００３３】
下摘み部４１は、例えば、断面略Ｌ字状に形成され、先端部がＸ軸方向前側に向けて突出するように配設されている。また、下摘み部４１の先端部は、例えば、家庭用薄葉紙収納容器１００の外面部の曲率に合わせるように所定の曲率をもって湾曲して形成されている。
【００３４】
上摘み部４２は、例えば、取出口１１を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１５に回動自在に取り付けられ、容器本体１に対する回動の中心軸を構成する回動軸部４２２と、上蓋３の前端面部３３の下端部（一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部４２２が形成された中央軸部４２４と、この中央軸部４２４の後側の下端部に連続して設けられ、中央軸部４２４よりも厚さが薄く形成された接触部４２３等を備えている。
【００３５】
接触部４２３は、例えば、図３に示すように、Ｙ軸方向に並んで所定間隔を空けて２つ設けられている。
【００３６】
また、上摘み部４２の操作レバー部４２１の先端部は、例えば、家庭用薄葉紙収納容器１００の外面部の曲率に合わせるように所定の曲率をもって湾曲して形成されている。
【００３７】
操作部取付部１５は、例えば、容器本体１の取出口１１よりも前方の左右両側であって、収納部５の外側となる位置に形成された左右の壁部１５１に設けられている。
左右の壁部１５１の各々は、例えば、Ｙ軸方向に沿うように略垂直に、且つ、Ｘ軸方向に沿って延在する起立面１５１ａを具備している。また、左右の壁部１５１の各々には、例えば、上摘み部４２の回動軸部４２２が取り付けられる取付穴部１５２が設けられ、取付穴部１５２の位置規制凸部１５３（後述）の下側に、当該壁部１５１を貫通する貫通穴１５４が形成されている。
【００３８】
取付穴部１５２は、例えば、壁部１５１の起立面１５１ａからＹ軸方向に所定の深さ座刳られてなり、Ｘ軸方向に沿って延在するように長円形状に形成されている。
取付穴部１５２のＸ軸方向の長さは、例えば、上摘み部４２をＸ軸方向にスライドさせて、操作部４による取出口１１を開状態とするための操作をロックするロック位置とアンロックするアンロック位置に配置することができる程度となっている。
ここで、上摘み部４２のロック位置とは、接触部４２３が被係合部１４に係合されることで回動軸部４２２を中心とする上摘み部４２の回動を規制する位置であり、アンロック位置とは、接触部４２３と被係合部１４の係合が解除されて上蓋３を跳ね上げ可能となるように前端面部３３の下端部の下側に接触部４２３が配置された位置（接触位置）のことである。即ち、上摘み部４２がアンロック位置に配された状態では（図５参照）、取付穴部１５２の内周面の前側部分に上摘み部４２の回動軸部４２２の外面が接触した状態となる一方で、上摘み部４２がロック位置に配された状態では（図７参照）、取付穴部１５２の内周面の後側部分に上摘み部４２の回動軸部４２２の外面が接触した状態となる。
【００３９】
また、取付穴部１５２の内周面のうち、Ｘ軸方向の略中央となる下側部分には、例えば、位置規制凸部１５３が上向きに突設されている。
位置規制凸部１５３は、例えば、取付穴部１５２の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１５３を乗り越えるようにしてＸ軸方向に移動することとなり、上摘み部４２がロック位置若しくはアンロック位置に配された状態では、位置規制凸部１５３により回動軸部４２２が取付穴部１５２内にてＸ軸方向に自由に移動することが規制されるようになっている。
【００４０】
貫通穴１５４は、例えば、位置規制凸部１５３を挟むように取付穴部１５２に対向する位置に設けられている。これにより、取付穴部１５２内を回動軸部４２２がＸ軸方向に移動する際に、回動軸部４２２により位置規制凸部１５３が貫通穴１５４側に押し込まれて取付穴部１５２が弾性変形することとなる。
【００４１】
次に、取出口１１を開放状態とするための操作部４の操作及び当該操作のロック機構について図５〜図７を参照して説明する。
ここで、図５〜図７は、図４の領域Ａの要部拡大断面図であり、図５は、上摘み部４２がアンロック位置に配された状態を表し、図６は、取出口１１を開放状態とするために上摘み部４２が操作された状態を表し、図７は、上摘み部４２がロック位置に配された状態を表している。
【００４２】
先ず、上蓋３が閉じられた状態から取出口１１を開放状態とする場合、上摘み部４２を回動軸部４２２が取付穴部１５２に沿ってスライドするように引き出してアンロック位置に配設する（図５参照）。このとき、回動軸部４２２がＸ軸方向前側に移動して位置規制凸部１５３を乗り越える際には、位置規制凸部１５３の下側に貫通穴１５４が設けられているため、取付穴部１５２が弾性変形することとなり、上摘み部４２をスムーズに移動させることができる。
これにより、上摘み部４２は、接触部４２３が上蓋３の前端面部３３の下端部の下側となる接触位置、即ち、アンロック位置に配置される。
【００４３】
この状態で、上摘み部４２の操作レバー部４２１が下側に移動するように操作されると、上摘み部４２は回動軸部４２２を中心として接触部４２３が上側に移動するように回動して、当該接触部４２３が前端面部３３の下端部に接触する。このとき、前端面部３３の下端部に回動規制部の規制力より大きな力が加わることで上蓋３を跳ね上げて（図６参照）、これにより、付勢部材１６１により付勢される上蓋３は、Ｘ軸方向の後側に回動して取出口１１を開放状態とするようになっている。
【００４４】
次に、上摘み部４２をロック位置に配設する場合について説明する。
例えば、アンロック位置に配設された上摘み部４２をロック位置に移動させる場合、当該上摘み部４２を回動軸部４２２が取付穴部１５２に沿ってスライドするように押し込む。このとき、回動軸部４２２がＸ軸方向後側に移動する際には、アンロック位置に配設する場合と同様に、貫通穴１５４により取付穴部１５２が弾性変形することで回動軸部４２２が位置規制凸部１５３を乗り越えて上摘み部４２をスムーズに移動させることができる。
そして、Ｘ軸方向後側に移動する接触部４２３は、被係合部１４に係合してＹ軸方向を軸心とする回動が規制された状態となり、当該接触部４２３を前端面部３３の下端部に接触不可能な接触不可位置、即ち、ロック位置に配置される。
【００４５】
以上のように、本実施形態の家庭用薄葉紙収納容器１００によれば、取出口１１を開放状態とするために上蓋３の前端面部３３の下端部を接触部４２３により跳ね上げる上摘み部４２が、上蓋３の前端面部３３の下端部に接触部４２３を接触不可能な接触不可位置（ロック位置）に配置されることで上摘み部４２の上蓋３の回動に係る操作を禁止することができる。
即ち、従来のように、上摘み部４２により上蓋３を回動させる操作をロックするロック部材を別に設けることなく、上摘み部４２を接触部４２３が上蓋３の前端面部３３の下端部に接触可能な接触位置（アンロック位置）と接触不可能な接触不可位置（ロック位置）との間で移動させるだけで、具体的には、上摘み部４２を回動軸部４２２が取付穴部１５２に沿ってスライドするように押し込んだり引き出すだけで、接触部４２３を接触不可位置や接触位置に配置することができ、これにより、上摘み部４２の上蓋３の回動に係る操作を禁止したり当該禁止を解除することができる。
特に、接触不可位置にあっては接触部４２３を被係合部１４に係合させて上摘み部４２の回動を禁止することができるので、上摘み部４２の上蓋３の回動に係る操作を適正に禁止することができる。
このように、より簡略な構造で上摘み部４２の上蓋３の回動に係る操作を禁止することができる。
【００４６】
また、家庭用薄葉紙Ｐを収納する収納部５の外側に設けられた壁部１５１に貫通穴１５４が設けられているので、収納部５に家庭用薄葉紙Ｐを密封状態で収納することができ、例えば、ウェットシートやウェットティッシュ等の家庭用薄葉紙Ｐからの水分の蒸発を防止して、当該家庭用薄葉紙Ｐの乾燥を適正に防止することができる。
【００４７】
なお、上記実施形態では、被係合部１４に接触部４２３を係合させることで上摘み部４２の回動を規制するようにしたが、上摘み部４２の回動の規制方法はこれに限られるものではなく、例えば、上蓋３の前端面部３３に接触部４２３を挿通自在な挿通孔（図示略）を設け、当該挿通孔に接触部４２３を挿通させることにより、上摘み部４２の回動を規制するようにしても良い。
【００４８】
また、本発明は、上記実施形態に限定されることなく、本発明の趣旨を逸脱しない範囲において、種々の改良並びに設計の変更を行っても良い。
【００４９】
＜変形例１＞
以下に、変形例１の家庭用薄葉紙収納容器について図８及び図９を参照して説明する。
ここで、図８は、変形例１の家庭用薄葉紙収納容器の上摘み部１４２を押し込んだ状態を示す要部拡大断面図であり、図９は、上摘み部１４２が引き出された状態を示す要部拡大断面図である。
【００５０】
変形例１の家庭用薄葉紙収納容器は、例えば、図８及び図９に示すように、上摘み部１４２がＸ軸方向に押し込まれることで接触位置に配設される一方で、引き出されることでロック位置に配設されるようになっている（図９参照）。
即ち、上摘み部１４２が取付穴部１５２に沿って回動軸部４２２をスライドさせるように押し込まれることで、接触部４２３が上蓋３の前端面部３３の下端部の下側となる接触位置に配置されるようになっている。一方で、上摘み部１４２が取付穴部１５２に沿って回動軸部４２２をスライドさせるように引き出されることで、接触部４２３が上蓋３の前端面部３３の下端部の下側から外れて当該前端面部３３の下端部に接触不可能な接触不可位置に配置されるようになっている。
【００５１】
従って、変形例１の家庭用薄葉紙収納容器によれば、上摘み部１４２を回動軸部４２２が取付穴部１５２に沿ってスライドするように押し込んだり引き出すだけで、接触部４２３を接触位置や接触不可位置に配置することができ、これにより、上摘み部１４２の上蓋３の回動に係る操作を禁止したり当該禁止を解除することができる。
【００５２】
また、上摘み部４２の接触位置と接触不可位置とを識別するために、上摘み部４２のスライドに応じて変化する指標を設けるようにしても良い。即ち、例えば、上摘み部４２が引き出されることで接触位置及び接触不可位置のうちの何れか一方の位置に配された際に、上摘み部４２の変色された所定部分が露出されるような構造とすることにより、ユーザに上摘み部４２の位置を適正に把握させることができる。
【００５３】
［実施形態２］
図１０は、本発明を適用した好適な実施形態２として例示する家庭用薄葉紙収納容器１０００を示す斜視図であり、図１１は、家庭用薄葉紙収納容器１０００を示す正面図である。また、図１２〜図１４は、家庭用薄葉紙収納容器１０００を示す平面図であり、図１３及び図１４にあっては、上蓋３を破線で表し、当該上蓋３を透過した状態を図示している。また、図１５は、容器本体１を示す平面図である。また、図１６は、操作部４の上摘み部４２を示す底面図である。図１７は、位置規制部の係合状態を説明するための図である。また、図１８は、図１２のXVIII−XVIII線における家庭用薄葉紙収納容器１０００の断面図であり、収納部５から家庭用薄葉紙Ｐが一枚引き出された状態を表している。
なお、以下の説明では、家庭用薄葉紙収納容器１０００の前後方向をＸ軸方向として、操作部４が設けられている側を手前側とし、操作部４と反対側を後側とする。さらに、左右方向（幅方向）をＹ軸方向とし、上下方向をＺ軸方向とする。
【００５４】
本実施形態の家庭用薄葉紙収納容器１０００は、例えば、図１０〜図１８に示すように、平面視にて略楕円形をなし全体としてドーム状に形成され、具体的には、内側に家庭用薄葉紙Ｐ（図１８参照）を収納する容器本体１と、この容器本体１の底面開口１０１１（図１８参照）を塞ぐ底蓋２と、容器本体１の上部に設けられた家庭用薄葉紙Ｐの取出口１０１２（図１８参照）を開閉するように当該容器本体１に回動自在に取り付けられた上蓋３と、取出口１０１２を開状態とするために操作される操作部４と、家庭用薄葉紙Ｐが収納される収納部５（図１８参照）を気密状態とする気密部６（図１８参照）等を備えて構成されている。
【００５５】
容器本体１は、例えば、射出成形により製造され、上下両側に開口を有し、周面が曲面形状に形成された部材であり、底面開口１０１１を塞ぐように底蓋２が取り付けられることにより、この底蓋２とともに家庭用薄葉紙Ｐを収納する収納部５を構成するものである。具体的には、容器本体１は、例えば、図１１〜図１８に示すように、下端部に断面略楕円形状の底面開口１０１１を有し、上部側ほど小径となるように湾曲して形成された周面部１０１３と、この周面部１０１３の上端に連続して形成され、収納部５に収納された家庭用薄葉紙Ｐを取り出すための取出口１０１２を具備する上面開口部１０１４等を備えている。
【００５６】
周面部１０１３の下端部と底蓋２の上端部が係合することにより、底面開口１０１１を塞ぐことができる一方で、当該係合を解除することにより、当該容器本体１の内側を開放（露出）させるようになっている。従って、収納部５に家庭用薄葉紙Ｐを収納する場合には、底蓋２を周面部１０１３から取り外して当該容器本体１の内側を開放して家庭用薄葉紙Ｐを収納し、その後、周面部１０１３に底蓋２を取り付けることにより、底面開口１０１１を塞ぐようになっている。
なお、底蓋２には、当該底蓋２の着脱動作の際に把持される把持部２１が２つ設けられてている。
【００５７】
また、収納部５には、例えば、複数枚の家庭用薄葉紙Ｐ、…が積層された状態で収納されるようになっており、継続して当該収納容器から取り出せるように交互に折り重ねられている。即ち、家庭用薄葉紙Ｐを外へ引き出したときに、次の家庭用薄葉紙Ｐがその上端が取出口１０１２よりも突出する位置まで収納部５から引き出されるようになっている（図１８参照）。
なお、図１８にあっては、家庭用薄葉紙Ｐが積層された状態を模式的に表している。
【００５８】
上面開口部１０１４は、例えば、平面視にて略楕円形状をなし、その略中央部に水平方向に延在する取出口１０１２が形成され、取出口１０１２よりもＸ軸方向後側に上蓋３を回動自在に取り付けるためのヒンジ取付部１０１５が設けられている。
【００５９】
取出口１０１２は、例えば、図１３及び図１８に示すように、上面開口部１０１４の略中央部に取り付けられた気密部６を構成する環状の本体側気密部６１の内縁部によって構成されている。
本体側気密部６１は、例えば、図１８に示すように、取出口１０１２の延在方向（水平方向）に対して略垂直となるように設けられ、径方向外側に突出した凸部が上面開口部１０１４の内縁部に沿って形成された凹部に嵌め合わされることにより、上面開口部１０１４に取り付けられている。
なお、上蓋３に設けられ、本体側気密部６１に係合する上蓋側気密部６２については後述する。
【００６０】
ヒンジ取付部１０１５は、例えば、上蓋３をＹ軸方向の回動軸３１１（後述）に沿って回動自在に取り付けるためのものであり、Ｙ軸方向に沿って形成された凹型の軸受部１１５１（図１２及び図１３参照）と、上蓋３を開く方向に付勢するねじりコイルバネ等の付勢部材１１５２等を備えている。
【００６１】
軸受部１１５１は、例えば、図１２〜図１５に示すように、２つの回動軸３１１、３１１に対応させてＹ軸方向に並んで設けられ、上面開口部１０１４の外縁よりも内側であって、取出口１０１２と略等しい高さとなっている。ここで、軸受部１１５１は、回動軸３１１とともに回動軸部を構成している。
【００６２】
付勢部材１１５２は、例えば、ねじりコイルバネに限られるものではなく、上蓋３を開く方向に付勢可能なものであれば如何なるものであっても良く、例えば、板バネ等を適用することができる。
【００６３】
ここで、上蓋３について説明する。
上蓋３は、例えば、射出成形により製造され、取出口１０１２を閉塞するように容器本体１に取り付けられた状態で容器本体１の周面部１０１３とともにドーム状をなす部材である。具体的には、上蓋３は、例えば、容器本体１のヒンジ取付部１０１５に取り付けられる回動軸３１１を有する軸部分３１と、この軸部分３１から前方及び側方に延出された曲面形状の天面部３２と、この天面部３２の前端部から略真下に延出された前端面部３３等を備えている。
【００６４】
回動軸３１１は、例えば、図１２〜図１４に示すように、軸部分３１のＹ軸方向両側の端部から外方に突出して形成されている。
【００６５】
天面部３２は、例えば、容器本体１の周面部１０１３の曲率に合わせて所定の曲率を有し、上部側ほど小径となるように湾曲して形成されている。
また、天面部３２の内面（下面）からは、本体側気密部６１と係合する上蓋側気密部６２が突出され、その内側に家庭用薄葉紙Ｐを下側（容器本体１側）に押さえる押さえ部３２１が形成されている。
【００６６】
上蓋側気密部６２は、例えば、本体側気密部６１先端の内側及び外側に接触するように環状部が２重に形成され、上蓋３を手前側に回動させることで本体側気密部６１と係合するようになっている。この状態で、上蓋側気密部６２は取出口１０１２の延在方向に対して略垂直に延在するようになっている。
【００６７】
押さえ部３２１は、例えば、天面部３２の内面から容器本体１側（下側）に突出して環状に形成され、当該上蓋３を閉じた状態で取出口１０１２の内側に配されるようになっている。
【００６８】
天面部３２のＸ軸方向手前側の部分は、例えば、後側に食い込むように平面視曲線状に形成され、その下面に前端面部３３が形成されている。
【００６９】
前端面部３３は、例えば、天面部３２の手前側の部分の曲線形状に沿うように湾曲して形成されている。
前端面部３３の下端部には、例えば、Ｘ軸方向後側に向けて所定の長さ突出された上蓋側凸部３３１が形成されている。
一方、上面開口部１０１４の取出口１０１２よりも前側であって、前端面部３３に対向する対向面部１０１６には、Ｘ軸方向前側に向けて所定の長さ突出された本体側凸部１１６１が形成されている。
そして、上蓋３を取出口１０１２を閉塞するようにＸ軸方向前側に回動させると、当該上蓋３の上蓋側凸部３３１が上面開口部１０１４の対向面部１０１６に形成された本体側凸部１１６１に係止した状態となって、上蓋３の取出口１０１２を開放するようなＸ軸方向後側に対する回動が規制される（図１８参照）。
【００７０】
また、対向面部１０１６の下側には、例えば、上摘み部４２の接触部４２３が係合する被係合部１７が形成されている。
被係合部１７は、例えば、対向面部１０１６の表面からＸ軸方向の後側に所定の深さ座刳られ、且つ、Ｙ軸方向に沿って延在するように溝状に形成されている。そして、被係合部１７に接触部４２３が係合することにより、当該上摘み部４２の回動軸部１４２２を中心とする回動を規制するようになっている。
【００７１】
対向面部１０１６の下端部に連続して形成された平面部１９には、例えば、図１４及び図１５に示すように、ロック位置（接触不可位置；後述）に配置される操作部４を位置決めする位置規制部を構成する円筒状凸部１９１が設けられている。
円筒状凸部１９１は、例えば、被係合部１７の各々よりもＹ軸方向外側であって操作部取付部１８（後述）の内側に配置され、平面部１９から所定の高さ突出するように形成されている。
【００７２】
周面部１０１３のＸ軸方向手前側には、例えば、操作部４を取り付けるための操作部取付部１８が設けられている。
【００７３】
ここで、操作部４について詳細に説明する。
操作部４は、例えば、操作部取付部１８の所定位置に取付固定された下摘み部４１と、この下摘み部４１の上側に設けられた上摘み部４２等を備えて構成されている。
【００７４】
下摘み部４１は、例えば、Ｘ軸方向の断面略Ｌ字状に形成され、先端部がＸ軸方向前側に向けて突出するように配設されている（図１８参照）。また、下摘み部４１の先端部は、例えば、家庭用薄葉紙収納容器１０００の周面部１０１３の曲率に合わせるように所定の曲率をもって湾曲して形成されている。
【００７５】
上摘み部４２は、例えば、取出口１０１２を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１８に回動自在に取り付けられ、容器本体１に対する回動の中心軸を構成する回動軸部１４２２と、上蓋３の前端面部３３の下端部（一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部１４２２が形成された中央軸部４２４と、この中央軸部４２４の後側の下端部に連続して設けられ、中央軸部４２４よりも厚さが薄く形成された接触部４２３と、平面部１９に対向配置される底面部４２５（図１６参照）等を備えている。
【００７６】
中央軸部４２４は、例えば、そのＹ軸方向中央部がそのＹ軸方向両端側よりもＸ軸方向後側に突出するように湾曲して形成され（図１３参照）、且つ、当該中央軸部４２４のＹ軸方向両端側よりもＸ軸方向後側ほどより肉厚となるような形状に形成されている（図１８等参照）
【００７７】
回動軸部１４２２は、例えば、図１８等に示すように、側面視にて、略半円形状の部分と頂点が略円弧状の略三角形状に突出した部分とが連続した形状となっている。即ち、回動軸部１４２２は、円形の外周部の一部を変形して形成されている。
略三角形状の突出部分は、取付穴部１８３の内周面に接触することで回動軸部１４２２の回動を規制する回動規制部を構成している（詳細後述）。
【００７８】
接触部４２３は、例えば、図１３に示すように、Ｙ軸方向に並んで所定間隔を空けて２つ設けられている。
【００７９】
底面部４２５には、位置規制部を構成して、円筒状凸部１９１が係合する凸部収納凹部４２５１が設けられている。
凸部収納凹部４２５１は、例えば、接触部４２３の各々よりもＹ軸方向外側に円筒状凸部１９１に対応させて配置され、底面部４２５から上側に所定の深さ（高さ）座刳られるようにして形成されている。具体的には、凸部収納凹部４２５１は、例えば、内形が略直方体状に形成され、接触部４２３側の起立面に位置規制凸部４２５２が設けられている。
【００８０】
位置規制凸部４２５２は、例えば、凸部収納凹部４２５１の起立面から突出して形成され、円筒状凸部１９１の側面に接触して当該円筒状凸部１９１と凸部収納凹部４２５１の相対的な移動を規制する。
即ち、位置規制凸部４２５２は、例えば、取付穴部１８３の内周面の前側部分或いは後側部分に接触する位置にスライド移動した回動軸部１４２２のＸ軸方向の位置を規制するものである。即ち、上摘み部４２をロック位置とアンロック位置との間で移動する場合には、回動軸部１４２２が位置規制凸部４２５２を乗り越えるようにしてＸ軸方向に移動することとなり、上摘み部４２がロック位置（図１７（ｂ）参照）若しくはアンロック位置（図１７（ａ）参照）に配された状態では、位置規制凸部４２５２により回動軸部１４２２が取付穴部１８３内にてＸ軸方向に自由に移動することが規制されるようになっている。
【００８１】
また、上摘み部４２の操作レバー部４２１の先端部は、例えば、家庭用薄葉紙収納容器１０００の周面部１０１３の曲率に合わせるように所定の曲率をもって湾曲して形成されている。
【００８２】
操作部取付部１８は、例えば、周面部のＸ軸方向手前側におけるＹ軸方向略中央部から上端部にかけて後側に所定の深さ切り欠かれてなり、上端部は上面開口部に連続するような形状となっている。
即ち、操作部取付部１８は、例えば、容器本体１の取出口１０１２よりも前方の左右両側に形成され、上摘み部４２が取り付けられる左右の壁部１８１、１８１と、左右の壁部１８１、１８１の各々の内面から内側に突出するように形成され、下摘み部４１が取り付けられる溝部１８２等を備えている。
【００８３】
左右の壁部１８１、１８１の各々は、例えば、収納部５の外側となる位置に形成され、Ｙ軸方向に沿うように略垂直に、且つ、Ｘ軸方向に沿って延在するように起立して形成されている。また、左右の壁部１８１の各々には、例えば、上摘み部４２の回動軸部１４２２が取り付けられる取付穴部１８３が設けられている（図１８〜図２０参照）。
【００８４】
取付穴部１８３は、例えば、壁部１８１からＹ軸方向に所定の深さ座刳られてなり、Ｘ軸方向に沿って延在するように長尺に形成されている。
また、取付穴部１８３のＸ軸方向後側の部分には、操作部４がロック位置に配置された状態で、回動軸部１４２２の略三角形状の突出部分が嵌合する被嵌合部１８３１が形成されている。即ち、被嵌合部１８３１は、回動軸部１４２２の略三角形状の突出部分の形状に合わせて形成されている。具体的には、被嵌合部１８３１は、先端部分が略円弧状に丸められ、且つ、当該円弧状の部分に連続してＸ軸方向前側及び斜め上側に延出している。
【００８５】
取付穴部１８３のＸ軸方向の長さは、例えば、上摘み部４２をＸ軸方向にスライドさせて、操作部４による取出口１０１２を開状態とするための操作をロックするロック位置とアンロックするアンロック位置に配置することができる程度となっている。
ここで、上摘み部４２のロック位置とは、接触部４２３が被係合部１７に係合されることで回動軸部１４２２を中心とする上摘み部４２の回動を規制する位置であり、アンロック位置とは、接触部４２３と被係合部１７の係合が解除されて上蓋３を跳ね上げ可能となるように前端面部３３の下端部の下側に接触部４２３が配置された位置（接触位置）のことである。即ち、上摘み部４２がアンロック位置に配された状態では（図１８参照）、取付穴部１８３の内周面の前側部分に上摘み部４２の回動軸部１４２２の外面の前側部分（略半円形状部分）が接触した状態となる一方で、上摘み部４２がロック位置に配された状態では（図２０参照）、取付穴部１８３の被嵌合部１８３１に上摘み部４２の回動軸部１４２２の外面の略三角形状の突出部分が接触した状態となる。
【００８６】
次に、取出口１０１２を開放状態とするための操作部４の操作及び当該操作のロック機構について図１８〜図２０を参照して説明する。
ここで、図１９及び図２０は、図１８の領域Ａの要部拡大断面図であり、図１９は、取出口１０１２を開放状態とするために上摘み部４２が操作された状態を表し、図２０は、上摘み部４２がロック位置に配された状態を表している。
【００８７】
先ず、上蓋３が閉じられた状態から取出口１０１２を開放状態とする場合、上摘み部４２を回動軸部１４２２が取付穴部１８３に沿ってスライドするように引き出して、接触部４２３が上蓋３の前端面部３３の下端部の下側となる接触位置、即ち、アンロック位置に配置する（図１７（ａ）及び図１８参照）。
【００８８】
この状態で、上摘み部４２の操作レバー部４２１が下側に移動するように操作されると、上摘み部４２は回動軸部１４２２を中心として接触部４２３が上側に移動するように回動して、当該接触部４２３が前端面部３３の下端部に接触する。このとき、前端面部３３の下端部に回動規制部の規制力より大きな力が加わることで上蓋３を跳ね上げて（図１９参照）、これにより、付勢部材１１５２により付勢される上蓋３は、Ｘ軸方向の後側に回動して取出口１０１２を開放状態とするようになっている。
【００８９】
次に、上摘み部４２をロック位置に配設する場合について説明する。
例えば、アンロック位置に配設された上摘み部４２をロック位置に移動させる場合、当該上摘み部４２を回動軸部１４２２が取付穴部１８３に沿ってスライドするように押し込む。このとき、凸部収納凹部４２５１の位置規制凸部４２５２が円筒状凸部１９１の側面を押圧しながら回動軸部１４２２がＸ軸方向後側に移動していき、接触部４２３が被係合部１７に係合される位置まで押し込まれると、位置規制凸部４２５２が円筒状凸部１９１を乗り越えて当該円筒状凸部１９１よりもＸ軸方向後側に配された状態となる（図１７（ｂ）及び図２０参照）。
これにより、操作部４は、Ｙ軸方向を軸心とする回動が規制された状態となり、当該接触部４２３を前端面部３３の下端部に接触不可能な接触不可位置、即ち、ロック位置に配置される。さらに、位置規制凸部４２５２により円筒状凸部１９１と凸部収納凹部４２５１のＸ軸方向に対する相対的な移動が規制された状態となる。
【００９０】
以上のように、本実施形態の家庭用薄葉紙収納容器１０００によれば、接触部４２３が上蓋３の一端部に接触不可能なロック位置に配置される操作部４を位置決めする位置規制部が取付穴部１８３よりも中央側に設けられているので、位置規制部を取付穴部１８３と同じ位置に設ける構成に比べて容器本体１や上蓋３との間に隙間を生じ難くして、がたつきを防止することができる。具体的には、位置規制凸部４２５２を容器本体１に設けられた円筒状凸部１９１の側面に接触させることにより、円筒状凸部１９１と操作部４に設けられた凸部収納凹部４２５１の相対的なＸ軸方向及びＹ軸方向への移動を適正に規制することができる。
従って、回動軸部１４２２を取付穴部１８３に沿わせるように移動させることにより操作部４の移動を適正に行うことができるとともに、位置規制部により操作部４のＸ軸方向及びＹ軸方向に対する位置決めを適正に行うことができる。
【００９１】
また、回動軸部１４２２は、略三角形状の突出部分により当該回動軸部１４２２の回動を規制することができ、回動軸部１４２２が不必要に回動しなくなって、がたつきを防止することができる。
また、操作部４がロック位置に配置された状態にて、被嵌合部１８３１に回動軸部１４２２の略三角形状の突出部分を嵌合させて当該操作部４の回動を規制することができ、この結果、がたつきを適正に防止することができる。
【００９２】
なお、本発明は、上記実施形態に限定されることなく、本発明の趣旨を逸脱しない範囲において、種々の改良並びに設計の変更を行っても良い。
以下に、家庭用薄葉紙収納容器の変形例について説明する。
【００９３】
＜変形例２＞
変形例２の家庭用薄葉紙収納容器１１００は、例えば、図２１〜図２３に示すように、容器本体１の平面部１９に形成されたＹ軸延在凹部１０１に上摘み部１１４２の底面部４２５に形成されたＹ軸延在凸部１０２を係合させることにより、操作部４のＸ軸方向の位置決めを行うようになっている。
ここで、図２１は、変形例２の家庭用薄葉紙収納容器１１００の容器本体１を示す平面図であり、図２２は、家庭用薄葉紙収納容器１１００の上摘み部１１４２を示す底面図である。また、図２３は、家庭用薄葉紙収納容器１１００におけるロック状態とアンロック状態を説明するための図である。
【００９４】
Ｙ軸延在凹部１０１は、例えば、Ｙ軸方向に沿って延在し、且つ、Ｘ軸方向の断面視にて略半円形状に凹むように形成されている（図２３参照）。また、Ｙ軸延在凹部１０１は、例えば、被係合部１７の各々よりもＹ軸方向外側であって操作部取付部１８の内側に配置され、ロック位置とアンロック位置に対応させてＸ軸方向に並んで配設されている。
【００９５】
Ｙ軸延在凸部１０２は、例えば、Ｙ軸方向に沿って延在し、且つ、Ｘ軸方向の断面視にて略半円形状に突出するように形成されている（図２３参照）。また、Ｙ軸延在凸部１０２は、例えば、接触部４２３の各々よりもＹ軸方向外側であって操作部取付部１８の内側にＹ軸延在凹部１０１に対応させて配置されている。
なお、Ｙ軸延在凸部１０２及びＹ軸延在凹部１０１の長さは、例えば、略等しくされても良いが、Ｙ軸延在凹部１０１の長さが少なくともＹ軸延在凸部１０２の長さと等しくなっていれば良い。
【００９６】
そして、操作部４をＸ軸方向にスライド移動させることにより、Ｙ軸延在凸部１０２を平面部１９上を摺動させながらロック位置やアンロック位置に配設されたＹ軸延在凹部１０１に係合させることができることとなって、当該操作部４をＸ軸方向に位置決めすることができる。
【００９７】
従って、変形例２の家庭用薄葉紙収納容器１１００によれば、回動軸部１４２２を取付穴部１８３に沿わせるように移動させることにより操作部４の移動を適正に行うことができるとともに、位置規制部を構成するＹ軸延在凹部１０１にＹ軸延在凸部１０２を係合させて操作部４のＸ軸方向に対する位置決めを適正に行うことができる。
【００９８】
＜変形例３＞
変形例３の家庭用薄葉紙収納容器１２００は、例えば、図２４に示すように、ロック位置に対応させて配設されたＹ軸延在凹部１０１のみを具備している。
即ち、操作部４がＸ軸方向手前側に引き出されることにより、当該操作部４のＹ軸延在凸部１０２が平面部１９上から外れた状態となり、これにより、操作部４がアンロック位置に配置されることとなる。
【００９９】
従って、変形例３の家庭用薄葉紙収納容器１２００によれば、変形例２と同様に、回動軸部１４２２を取付穴部１８３に沿わせるように移動させることにより操作部４の移動を適正に行うことができるとともに、位置規制部を構成するＹ軸延在凹部１０１にＹ軸延在凸部１０２を係合させて操作部４のＸ軸方向に対する位置決めを適正に行うことができる。
【０１００】
＜変形例４＞
変形例４の家庭用薄葉紙収納容器１３００は、例えば、図２５〜図２７に示すように、容器本体１の平面部１９に形成されたＸ軸延在凸部３０１に上摘み部４２の接触部４２３の底面に形成されたＸ軸延在凹部３０２を係合させることにより、操作部４のＹ軸方向の位置決めを行うようになっている。
ここで、図２５は、変形例４の家庭用薄葉紙収納容器１３００の容器本体１を示す平面図であり、図２６は、家庭用薄葉紙収納容器１３００の上摘み部１３４２を示す底面図である。また、図２７は、変形例４の家庭用薄葉紙収納容器１３００における操作部４の位置決めを説明するための断面図である。
【０１０１】
Ｘ軸延在凸部３０１は、例えば、Ｘ軸方向に沿って延在し、且つ、Ｙ軸方向の断面視にて略矩形状に突出するように溝３０３内に形成されている（図２６参照）。また、Ｘ軸延在凸部３０１は、例えば、被係合部１７の各々とＸ軸方向にほぼ重なるように配置されている。
【０１０２】
Ｘ軸延在凹部３０２は、例えば、Ｘ軸方向に沿って延在し、且つ、Ｙ軸方向の断面視にて略半矩形状に凹むように形成されている（図２６参照）。
【０１０３】
そして、操作部４をＸ軸方向にスライド移動させる際に、容器本体１のＸ軸延在凸部３０１にＸ軸延在凹部３０２を係合させることができることとなって、当該操作部４をＹ軸方向に位置決めすることができる。
【０１０４】
従って、変形例４の家庭用薄葉紙収納容器１３００によれば、回動軸部１４２２を取付穴部１８３に沿わせるように移動させることにより操作部４の移動を適正に行うことができるとともに、位置規制部を構成するＸ軸延在凹部３０２にＸ軸延在凸部３０１を係合させて操作部４のＹ軸方向に対する位置決めを適正に行うことができる。
【０１０５】
＜変形例５＞
変形例５の家庭用薄葉紙収納容器１４００は、例えば、図２８（ａ）及び図２８（ｂ）に示すように、容器本体１の対向面部１０１６に形成されたＸ軸突出部４０１を上摘み部１４４２に形成されたＸ軸突出部係合部４０２に係合させることにより、操作部４のＸ軸方向及びＹ軸方向の位置決めを行うようになっている。
ここで、図２８（ａ）は、変形例５の家庭用薄葉紙収納容器１４００におけるロック状態とアンロック状態を説明するための図であり、図２８（ｂ）は、Ｘ軸突出部４０１とＸ軸突出部係合部４０２との係合状態を拡大して示す図である。
【０１０６】
Ｘ軸突出部４０１は、例えば、図２８（ａ）に示すように、平面視にて、略「く」の字状の部分を内側に向き合わせるようにして形成されている。また、Ｘ軸突出部４０１は、例えば、本体側凸部１１６１の下側に形成されている。
【０１０７】
Ｘ軸突出部係合部４０２は、例えば、図２８（ｂ）に示すように、Ｘ軸突出部４０１の先端部のＹ軸方向の幅よりも広い先端開口を有するように形成され、当該Ｘ軸突出部係合部４０２にＸ軸突出部４０１が収納されるようになっている。
即ち、操作部４をロック位置に配設する場合には、操作部４をＸ軸方向後側にスライド移動させることにより、Ｘ軸突出部４０１の間隔がより狭まるように弾性変形しながらＸ軸突出部係合部４０２に係合された状態となり、操作部４がＸ軸方向及びＹ軸方向に位置決めされた状態となる。
なお、操作部４をアンロック位置に配設する場合には、当該操作部４がＸ軸方向後側にスライド移動することにより、Ｘ軸突出部係合部４０２とＸ軸突出部４０１との係合が解除された状態となる。
【０１０８】
従って、変形例５の家庭用薄葉紙収納容器１４００によれば、回動軸部１４２２を取付穴部１８３に沿わせるように移動させることにより操作部４の移動を適正に行うことができるとともに、位置規制部を構成するＸ軸突出部係合部４０２にＸ軸突出部４０１を係合させて操作部４のＸ軸方向及びＹ軸方向に対する位置決めを適正に行うことができる。
【０１０９】
＜変形例６＞
変形例６の家庭用薄葉紙収納容器１５００は、例えば、図２９及び図３０に示すように、断面が略半円形状に形成された回動軸部５２２を備え、当該回動軸部５２２の外形に合わせて形成された被嵌合部５０１１を具備する取付穴部５０１を備えている。
ここで、図２９及び図３０は、変形例６の家庭用薄葉紙収納容器１５００における要部拡大断面図であり、図２９は、操作部４の回動状態を表し、図３０は、操作部４のロック状態を表している。
【０１１０】
取付穴部５０１は、例えば、図２９及び図３０に示すように、Ｘ軸方向後側に、側面視にて略半円形状の内面を具備する被嵌合部５０１１が形成され、この被嵌合部５０１１に連続してＸ軸方向前側に回動軸部５２２の回動領域を構成する回動領域部５０１２が形成されている。
【０１１１】
回動領域部５０１２は、例えば、回動軸部５２２のＹ軸方向の軸心周りの所定角度の回動領域を確保するものであり、Ｘ軸方向前側の上端部から斜め上向き後方に延出された斜面部５０１３と、この斜面部５０１３の後端から被嵌合部１８３１の前端まで略円弧状に延出された円弧状部５０１４等を備えている。
これにより、操作部４がＸ軸方向前側にスライド移動した状態では、回動軸部５２２を軸心として所定角度回動することができる一方で、Ｘ軸方向後側にスライド移動した状態では、回動軸部５２２の先端部（回動規制部）が被嵌合部５０１１に嵌合されて回動が規制される。
【０１１２】
従って、変形例６の家庭用薄葉紙収納容器１５００によれば、操作部４がロック位置に配置された状態にて、被嵌合部５０１１に回動軸部５２２の先端部を嵌合させて当該操作部４の回動を規制することができ、この結果、がたつきを適正に防止することができる。
【０１１３】
＜変形例７＞
変形例７の家庭用薄葉紙収納容器１６００は、例えば、図３１及び図３２に示すように、断面が略長円形状に形成された回動軸部６２２を備え、当該回動軸部６２２の外形に合わせて形成された被嵌合部６０１１を具備する取付穴部６０１を備えている。
ここで、図３１及び図３２は、変形例７の家庭用薄葉紙収納容器１６００における要部拡大断面図であり、図３１は、操作部４の回動状態を表し、図３２は、操作部４のロック状態を表している。
【０１１４】
取付穴部６０１は、例えば、図３１及び図３２に示すように、Ｘ軸方向後側に、回動軸部６２２の厚さ（上下方向の長さ）とほぼ等しい高さの内面を具備する被嵌合部６０１１が形成され、この被嵌合部６０１１に連続してＸ軸方向前側に回動軸部６２２の回動領域を構成する回動領域部６０１２が形成されている。
【０１１５】
回動領域部６０１２は、例えば、回動軸部６２２のＹ軸方向の軸心周りの所定角度の回動領域を確保するものであり、回動軸部６２２の前側部分の回動領域となる前側回動部分６０１３と、回動軸部６２２の後側部分の回動領域となる後側回動部分６０１４等から構成されている。
前側回動部分６０１３は、取付穴部６０１のＸ軸方向前端部から下向きに略円弧状に延出された前側円弧状部６０１３ａと、この前側円弧状部６０１３ａの下端から被嵌合部６０１１の前端まで斜め上向きに延出された前側斜面部６０１３ｂ等を備えて、被嵌合部６０１１の下端よりも下側に突出するように形成されている。
後側回動部分６０１４は、被嵌合部６０１１のＸ軸方向前端から上向きに略円弧状に延出された後側円弧状部６０１４ａと、この後側円弧状部６０１４ａの上端から前側斜面部６０１３ｂと略平行に延出された後側斜面部６０１４ｂ等を備えて、被嵌合部６０１１の上端よりも上側に突出するように形成されている。
これにより、操作部４がＸ軸方向前側にスライド移動した状態では、回動軸部６２２を軸心として所定角度回動することができる一方で、Ｘ軸方向後側にスライド移動した状態では、回動軸部６２２の先端部（回動規制部）が被嵌合部６０１１に嵌合されて回動が規制される。
【０１１６】
従って、変形例７の家庭用薄葉紙収納容器１６００によれば、操作部４がロック位置に配置された状態にて、被嵌合部６０１１に回動軸部６２２の先端部を嵌合させて当該操作部４の回動を規制することができ、この結果、がたつきを適正に防止することができる。
【０１１７】
なお、家庭用薄葉紙収納容器１０００、１１００、１２００、１３００、１４００、１５００、１６００の構成や各部の形状等は、上記実施形態に例示したものは一例であり、これらに限られるものではない。
例えば、上記実施形態２並びに変形例２〜７にあっては、回動軸部１４２２、５２２、６２２の一部が嵌合する被嵌合部１８３１、５０１１、６０１１の他に、接触部４２３が係合する被係合部１７を設けるようにしたが、操作部４ロック位置に配置された状態で回動を規制するためには、少なくとも被嵌合部１８３１、５０１１、６０１１が設けられていれば良い。
【図面の簡単な説明】
【０１１８】
【図１】本発明を適用した好適な実施形態１として例示する家庭用薄葉紙収納容器を示す平面図である。
【図２】図１の家庭用薄葉紙収納容器を示す正面図である。
【図３】図１の家庭用薄葉紙収納容器を示す底面図である。
【図４】図１のIV−IV線における家庭用薄葉紙収納容器の断面図である。
【図５】図４の領域Ａの要部拡大断面図である。
【図６】図４の領域Ａの要部拡大断面図である。
【図７】図４の領域Ａの要部拡大断面図である。
【図８】変形例１の家庭用薄葉紙収納容器の操作部の要部拡大断面図である。
【図９】図８の家庭用薄葉紙収納容器の操作部の要部拡大断面図である。
【図１０】本発明を適用した好適な実施形態２として例示する家庭用薄葉紙収納容器を示す斜視図である。
【図１１】図１０の家庭用薄葉紙収納容器を示す正面図である。
【図１２】図１０の家庭用薄葉紙収納容器を示す平面図である。
【図１３】図１０の家庭用薄葉紙収納容器を示す平面図である。
【図１４】図１０の家庭用薄葉紙収納容器を示す平面図である。
【図１５】図１０の家庭用薄葉紙収納容器の容器本体を示す平面図である。
【図１６】図１０の家庭用薄葉紙収納容器の上摘み部を示す底面図である。
【図１７】図１０の家庭用薄葉紙収納容器の位置規制部の係合状態を説明するための図である。
【図１８】図１２のXVIII−XVIII線における家庭用薄葉紙収納容器の断面図である。
【図１９】図１８の領域Ａの要部拡大断面図である。
【図２０】図１８の領域Ａの要部拡大断面図である。
【図２１】変形例２の家庭用薄葉紙収納容器の容器本体を示す平面図である。
【図２２】図２１の家庭用薄葉紙収納容器の上摘み部を示す底面図である。
【図２３】変形例２の家庭用薄葉紙収納容器におけるロック状態とアンロック状態を説明するための図である。
【図２４】変形例３の家庭用薄葉紙収納容器の容器本体を示す平面図である。
【図２５】変形例４の家庭用薄葉紙収納容器の容器本体を示す平面図である。
【図２６】図２５の家庭用薄葉紙収納容器の上摘み部を示す底面図である。
【図２７】変形例４の家庭用薄葉紙収納容器における操作部の位置決めを説明するための断面図である。
【図２８】変形例５の家庭用薄葉紙収納容器におけるロック状態とアンロック状態を説明するための図である。
【図２９】変形例６の家庭用薄葉紙収納容器における要部拡大断面図である。
【図３０】変形例６の家庭用薄葉紙収納容器における要部拡大断面図である。
【図３１】変形例７の家庭用薄葉紙収納容器における要部拡大断面図である。
【図３２】変形例７の家庭用薄葉紙収納容器における要部拡大断面図である。
【符号の説明】
【０１１９】
１００、１０００、１１００、１２００、１３００、１４００、１５００、１６００  家庭用薄葉紙収納容器
１        容器本体
１４      被係合部
１１、１０１２  取出口
１０１３  周面部
１５１    壁部
１５２    取付穴部
１５３    位置規制凸部
１５４    貫通穴
１８３、５０１、６０１  取付穴部
１８３１、５０１１、６０１１  被嵌合部
１９１    円筒状凸部
２        底蓋
３        上蓋（蓋体）
４        操作部
４１      下摘み部
４２、１４２  上摘み部
４２２、１４２２、５２２、６２２  回動軸部
４２３    接触部
４２５１  凸部収納凹部
５        収納部
Ｐ        家庭用薄葉紙
【図１】
2008105746.tif 000003
【図２】
2008105746.tif 000004
【図３】
2008105746.tif 000005
【図４】
2008105746.tif 000006
【図５】
2008105746.tif 000007
【図６】
2008105746.tif 000008
【図７】
2008105746.tif 000009
【図８】
2008105746.tif 000010
【図９】
2008105746.tif 000011
【図１０】
2008105746.tif 000012
【図１１】
2008105746.tif 000013
【図１２】
2008105746.tif 000014
【図１３】
2008105746.tif 000015
【図１４】
2008105746.tif 000016
【図１５】
2008105746.tif 000017
【図１６】
2008105746.tif 000018
【図１７】
2008105746.tif 000019
【図１８】
2008105746.tif 000020
【図１９】
2008105746.tif 000021
【図２０】
2008105746.tif 000022
【図２１】
2008105746.tif 000023
【図２２】
2008105746.tif 000024
【図２３】
2008105746.tif 000025
【図２４】
2008105746.tif 000026
【図２５】
2008105746.tif 000027
【図２６】
2008105746.tif 000028
【図２７】
2008105746.tif 000029
【図２８】
2008105746.tif 000030
【図２９】
2008105746.tif 000031
【図３０】
2008105746.tif 000032
【図３１】
2008105746.tif 000033
【図３２】
2008105746.tif 000034